(57)【要約】  ネットワークにおいて複数のヌメロロジーを有効化するための方法が提示される。本方法は、ユーザ機器（ＵＥ）によって実施され、第１のヌメロロジーを用いてブロードキャストチャネル上の第１の探索空間内でシステム情報を受信するステップ（Ｓ１１０）と、受信したシステム情報から第２の探索空間を決定するステップ（Ｓ１２０）と、第２のヌメロロジーを用いて第２の探索空間内でさらなる情報を受信するステップ（Ｓ１３０）とを含む。ＵＥ、基地局、コンピュータプログラムおよびコンピュータプログラムデバイスも提示される。【選択図】図６Ａ
2019534642.tif 000002
【特許請求の範囲】
【請求項１】
ネットワークにおいて複数のヌメロロジーを有効化するための方法であって、前記方法は、ユーザ機器（ＵＥ）によって実施され、
第１のヌメロロジーを用いてブロードキャストチャネル上の第１の探索空間内でシステム情報を受信するステップ（Ｓ１１０）と、
前記受信したシステム情報から第２の探索空間を決定するステップ（Ｓ１２０）と、
第２のヌメロロジーを用いて前記第２の探索空間内でさらなる情報を受信するステップ（Ｓ１３０）と
を含む、方法。
【請求項２】
前記第１のヌメロロジーは前記第２のヌメロロジーとは異なる、請求項１に記載の方法。
【請求項３】
前記受信するステップ（Ｓ１１０）は、システム情報を検出するステップをさらに含む、請求項１または２に記載の方法。
【請求項４】
ブロードキャストチャネル上で受信するステップ（Ｓ１１０）の前に、前記ブロードキャストチャネルの同期情報を受信するステップ（Ｓ１００）を含む、請求項１から３のいずれか一項に記載の方法。
【請求項５】
前記第２のヌメロロジーは、前記受信したシステム情報内で指示される、請求項１から４のいずれか一項に記載の方法。
【請求項６】
第２の探索空間は、ＵＥ特有である、請求項１から５のいずれか一項に記載の方法。
【請求項７】
前記第２の探索空間は、共通の探索空間である、請求項１から５のいずれか一項に記載の方法。
【請求項８】
前記共通の探索空間内で受信される前記さらなる情報は、ページング情報のスケジューリング、さらなるシステム情報、ランダムアクセス応答、追加の探索空間のスケジューリングのうちの１つまたは複数である、請求項７に記載の方法。
【請求項９】
前記決定するステップは、第３のヌメロロジーを有する第３の探索空間を決定するステップをさらに含む、請求項１から８のいずれか一項に記載の方法。
【請求項１０】
ネットワークにおいて複数のヌメロロジーを有効化するための方法であって、前記方法は、基地局（ＢＳ）によって実施され、
第１のヌメロロジーを用いてブロードキャストチャネル上の第１の探索空間内でシステム情報を送信するステップ（Ｓ２１０）と、
第２のヌメロロジーを用いて第２の探索空間内でさらなる情報を送信するステップ（Ｓ２２０）と
を含む、方法。
【請求項１１】
前記第１のヌメロロジーは前記第２のヌメロロジーとは異なる、請求項１０に記載の方法。
【請求項１２】
前記第２のヌメロロジーは、前記送信されたシステム情報内で指示される、請求項１０または１１に記載の方法。
【請求項１３】
前記第２の探索空間は、前記送信されたシステム情報内で指示される、請求項１０から１２のいずれか一項に記載の方法。
【請求項１４】
ブロードキャストチャネルの同期情報を送信するステップ（Ｓ２００）をさらに含む、請求項１０から１３のいずれか一項に記載の方法。
【請求項１５】
前記第２の探索空間は、ユーザ機器（ＵＥ）に固有である、請求項１０から１４のいずれか一項に記載の方法。
【請求項１６】
前記第２の探索空間は、共通の探索空間である、請求項１０から１５のいずれか一項に記載の方法。
【請求項１７】
前記共通の探索空間内で送信される前記さらなる情報は、ページング情報のスケジューリング、さらなるシステム情報、ランダムアクセス応答、追加の探索空間のスケジューリングのうちの１つまたは複数である、請求項１６に記載の方法。
【請求項１８】
第３のヌメロロジーを用いて第３の探索空間内で追加の情報を送信するステップをさらに含む、請求項１０から１７のいずれか一項に記載の方法。
【請求項１９】
ネットワークにおいて複数のヌメロロジーを有効化するためのユーザ機器（ＵＥ）であって、前記ＵＥ（１）は、
プロセッサ（１０）と、
命令を記憶しているコンピュータプログラム製品（１２、１３）と
を備え、前記命令は、前記プロセッサによって実行されると、前記ＵＥに、
第１のヌメロロジーを用いてブロードキャストチャネル上の第１の探索空間内でシステム情報を受信するステップ（Ｓ１１０）と、
前記受信したシステム情報から第２の探索空間を決定するステップ（Ｓ１２０）と、
第２のヌメロロジーを用いて前記第２の探索空間内でさらなる情報を受信するステップ（Ｓ１３０）と
を行わせる、ユーザ機器（ＵＥ）。
【請求項２０】
ネットワークにおいて複数のヌメロロジーを有効化するための基地局（ＢＳ）であって、前記ＢＳ（２）は、
プロセッサ（２０）と、
命令を記憶しているコンピュータプログラム製品（２２、２３）と
を備え、前記命令は、前記プロセッサによって実行されると、前記ＢＳに、
第１のヌメロロジーを用いてブロードキャストチャネル上の第１の探索空間内でシステム情報を送信するステップ（Ｓ２１０）と、
第２のヌメロロジーを用いて第２の探索空間内でさらなる情報を送信するステップ（Ｓ２２０）と
を行わせる、基地局（ＢＳ）。
【請求項２１】
ネットワークにおいて複数のヌメロロジーを有効化するためのユーザ機器（ＵＥ）であって、前記ＵＥ（１）は、
第１のヌメロロジーを用いてブロードキャストチャネル上の第１の探索空間内でシステム情報を受信するステップ（Ｓ１１０）と、第２のヌメロロジーを用いて第２の探索空間内でさらなる情報を受信するステップ（Ｓ１３０）とを行うための通信マネージャ（９１）と、
前記受信したシステム情報から前記第２の探索空間を決定するステップ（Ｓ１２０）を行うための決定マネージャ（９０）と
を備える、ユーザ機器（ＵＥ）。
【請求項２２】
ネットワークにおいて複数のヌメロロジーを有効化するための基地局（ＢＳ）であって、前記ＢＳ（２）は、
第１のヌメロロジーを用いてブロードキャストチャネル上の第１の探索空間内でシステム情報を送信するステップ（Ｓ２１０）と、第２のヌメロロジーを用いて第２の探索空間内でさらなる情報を送信するステップ（Ｓ２２０）とを行うための通信マネージャ（１０１）を備える、基地局（ＢＳ）。
【請求項２３】
ネットワークにおいて複数のヌメロロジーを有効化するためのコンピュータプログラム（１４、１５）であって、前記コンピュータプログラムはコンピュータプログラムコードを備え、前記コンピュータプログラムコードは、ユーザ機器（ＵＥ）上で作動されると、前記ＵＥに、
第１のヌメロロジーを用いてブロードキャストチャネル上の第１の探索空間内でシステム情報を受信するステップ（Ｓ１１０）と、
前記受信したシステム情報から第２の探索空間を決定するステップ（Ｓ１２０）と、
第２のヌメロロジーを用いて前記第２の探索空間内でさらなる情報を受信するステップ（Ｓ１３０）と
を行わせる、コンピュータプログラム（１４、１５）。
【請求項２４】
ネットワークにおいて複数のヌメロロジーを有効化するためのコンピュータプログラム（２４、２５）であって、前記コンピュータプログラムはコンピュータプログラムコードを備え、前記コンピュータプログラムコードは、基地局（ＢＳ）上で作動されると、前記ＢＳに、
第１のヌメロロジーを用いてブロードキャストチャネル上の第１の探索空間内でシステム情報を送信するステップ（Ｓ２１０）と、
第２のヌメロロジーを用いて第２の探索空間内でさらなる情報を送信するステップ（Ｓ２２０）と
を行わせる、コンピュータプログラム（２４、２５）。
【請求項２５】
請求項２３または２４に記載のコンピュータプログラム（１４、１５；２４、２５）を記憶するためのコンピュータ可読記憶手段を備える、コンピュータプログラム製品（１２、１３；２２、２３）。
【発明の詳細な説明】
【技術分野】
【０００１】
本発明は、ネットワークにおいて複数のヌメロロジーを有効化するための方法、ならびに、ネットワークのユーザ機器、基地局、コンピュータプログラムおよびコンピュータプログラムデバイスに関する。
【背景技術】
【０００２】
第５世代の移動体通信およびワイヤレス技術はまだ完全には定義されていないが、第３世代パートナーシッププロジェクト（３ＧＰＰ）内では進歩した起草段階にある。これは、５Ｇ  Ｎｅｗ  Ｒａｄｉｏ（ＮＲ）アクセス技術に関する研究を含む。５Ｇにおいては異なる用語が指定されるが、本開示においては、均等な５Ｇエンティティまたは機能を含めるために、ロングタームエボリューション（ＬＴＥ）の専門用語が、将来を見通す意味合いで使用される。これまでの５Ｇ  ＮＲアクセス技術に関する合意の全般的な記述は、３ＧＰＰ  ｔｅｃｈｎｉｃａｌ  ｒｅｐｏｒｔ（ＴＲ）３８．８０２  ｖ０．３．０（２０１６−１０）に包含されており、その原案はＲ１  １６１０８４８として公開されている。
【０００３】
３ＧＰＰにおいては、５ＧのためのＮＲインターフェースを検討する進行中の研究項目が存在する。この新規の次世代技術を表すための用語はまだ１つに定まっておらず、そのため、ＮＲおよび５Ｇという用語は交換可能に使用される。
【０００４】
３ＧＰＰ作業グループＲＡＮ１がＮＲ関連事項について行う必要がある第１の主要な決定の１つが、「ヌメロロジー」および「フレーム構造」という用語によって表されることが多いものである。３ＧＰＰ  ＲＡＮ１において、ヌメロロジーという用語は、サブキャリア間隔、ＯＦＤＭシンボル長、サイクリックプレフィックス長、サブフレームまたはスロットあたりのシンボルの数、サブフレーム長、およびフレーム長などのＯＦＤＭ無線インターフェースのいくつかのかなり基本的な態様を記述する重要な数値パラメータを決定するために使用される。これらの用語のいくつかはまた、例えば、フレーム長、フレームあたりのサブフレームの数、サブフレーム長、ならびに、制御情報を搬送するスロット、フレームまたはサブフレーム内のシンボルの位置および数、ならびに、データを搬送するチャネルの位置などのフレーム構造という用語の分類にも入る場合がある。ＮＲにおいて、サブフレームは１ｍｓであり、１ｍｓクロックを確立する。送信にはスロットまたはミニスロットが使用される。スロットは７または１４のシンボルから成り、７シンボルは、６０ｋＨｚ以下のサブキャリア間隔のためのものであり、１４シンボルは６０ｋＨｚよりも大きいサブキャリア間隔のためのものである。
【０００５】
加えて、フレーム構造という用語は、例えば、参照信号（パイロット信号）の定位および密度、制御チャネルの配置および構造、時分割複信（ＴＤＤ）のための上りリンクから下りリンクへの（およびその逆の）切り替えのためのガード時間の位置および長さ、ならびに時間位置整合など、フレーム、サブフレームおよびスロットの構造を反映する様々な追加の態様を含み得る。一般的に、ヌメロロジーおよびフレーム構造は、無線インターフェースの基本的な態様およびパラメータのセットを包含する。
【０００６】
ＬＴＥは、１５ｋＨｚの単一のサブキャリア間隔をサポートする。ＬＴＥにおけるいくつかの他のパラメータについては、いくらかの追加の自由度が存在する。例えば、サイクリックプレフィックスの長さおよびサブフレーム内の制御領域のサイズを設定することが可能である。同様に、ＬＴＥは、例えば、それぞれ周波数分割複信（ＦＤＤ）、ＴＤＤ、および狭帯域モノのインターネット（ＮＢ−ＩｏＴ）のための複数の異なるフレーム構造をサポートすることができる。
【０００７】
３ＧＰＰ  ＴＳＧ  ＲＡＮ  ＷＧ１は最近、ＮＲにおいて、混合したサブキャリア間隔を同じキャリア上でサポートすることが可能であるべきであると合意した。混合サブキャリア間隔の実現可能性は、例えば、３ＧＰＰ  ｃｏｎｔｒｉｂｕｔｉｏｎ  Ｒ１−１６３２２４において研究されており、非直交サブキャリア間の干渉を首尾よく軽減することができることが示されている。
【発明の概要】
【０００８】
本明細書において提示されている実施形態の目的は、５Ｇ  ＮＲ技術において混合ヌメロロジーを有効化する方法である。
【０００９】
第１の態様によれば、ネットワークにおいて複数のヌメロロジーを有効化するための方法が提示される。本方法は、ユーザ機器（ＵＥ）によって実施され、第１のヌメロロジーを用いてブロードキャストチャネル上の第１の探索空間内でシステム情報を受信するステップと、受信したシステム情報から第２の探索空間を決定するステップと、第２のヌメロロジーを用いて第２の探索空間内でさらなる情報を受信するステップとを含む。
【００１０】
第１のヌメロロジーは第２のヌメロロジーとは異なり得る。第１の態様の方法を実行するＵＥの観点から、第１のヌメロロジーと第２のヌメロロジーとが異なる事例は、サポートされるが、ＵＥの動作のための必要条件ではない。ＵＥは同様に、所与の時点において適用可能な設定に従って、第１のヌメロロジーと第２のヌメロロジーとが等しいまたは等価である状況をサポートし、この状況において機能することができる。言い換えれば、第２のヌメロロジーは、第１のヌメロロジーによって制約されることなく、または、第１のヌメロロジーの特性に依存することなく設定可能である。
【００１１】
ブロードキャストチャネルは、物理ブロードキャストチャネル（ＰＢＣＨ）であってもよい。
【００１２】
システム情報を受信するステップは、システム情報を検出するステップをさらに含むことができる。
【００１３】
方法は、ブロードキャストチャネルを受信するステップの前に、同期情報を受信するステップをさらに含むことができる。１つまたは複数の同期チャネル上で受信される同期情報の受信に基づいて、ＵＥは、ブロードキャストチャネルの探索空間または領域のヌメロロジーを推定することができる。
【００１４】
第２のヌメロロジーは、受信したシステム情報内で指示され得る。
【００１５】
第２の探索空間は、ＵＥ特有であってもよい。
【００１６】
第２の探索空間は、共通の探索空間であってもよい。
【００１７】
決定するステップは、第３のヌメロロジーを有する第３の探索空間を決定するステップをさらに含むことができる。
【００１８】
第２の態様によれば、ネットワークにおいて複数のヌメロロジーを有効化するための方法が提示される。本方法は、基地局（ＢＳ）によって実施され、第１のヌメロロジーを用いてブロードキャストチャネル上の第１の探索空間内でシステム情報を送信するステップと、第２のヌメロロジーを用いて第２の探索空間内でさらなる情報を送信するステップとを含む。
【００１９】
第１のヌメロロジーは第２のヌメロロジーとは異なり得る。
【００２０】
ブロードキャストチャネルは、物理ブロードキャストチャネル（ＰＢＣＨ）であってもよい。
【００２１】
方法は、ブロードキャストチャネルの同期情報を送信するステップをさらに含むことができる。
【００２２】
第３の態様によれば、ネットワークにおいて複数のヌメロロジーを有効化するためのＵＥが提示される。ＵＥは、プロセッサと、コンピュータプログラム製品とを備える。コンピュータプログラム製品は、命令を記憶しており、命令は、プロセッサによって実行されると、ＵＥに、第１のヌメロロジーを用いてブロードキャストチャネル上の第１の探索空間内でシステム情報を受信するステップと、受信したシステム情報から第２の探索空間を決定するステップと、第２のヌメロロジーを用いて第２の探索空間内でさらなる情報を受信するステップとを行わせる。
【００２３】
第４の態様によれば、ネットワークにおいて複数のヌメロロジーを有効化するためのＢＳが提示される。ＢＳは、プロセッサと、コンピュータプログラム製品とを備える。コンピュータプログラム製品は、命令を記憶しており、命令は、プロセッサによって実行されると、ＢＳに、第１のヌメロロジーを用いてブロードキャストチャネル上の第１の探索空間内でシステム情報を送信するステップと、第２のヌメロロジーを用いて第２の探索空間内でさらなる情報を送信するステップとを行わせる。
【００２４】
第５の態様によれば、ネットワークにおいて複数のヌメロロジーを有効化するためのＵＥが提示される。ＵＥは、通信マネージャと、決定マネージャとを備える。通信マネージャは、第１のヌメロロジーを用いてブロードキャストチャネル上の第１の探索空間内でシステム情報を受信するステップと、第２のヌメロロジーを用いて第２の探索空間内でさらなる情報を受信するステップとを行うためのものである。決定マネージャは、受信したシステム情報から第２の探索空間を決定するステップを行うためのものである。
【００２５】
第６の態様によれば、ネットワークにおいて複数のヌメロロジーを有効化するためのＢＳが提示される。ＢＳは、第１のヌメロロジーを用いてブロードキャストチャネル上の第１の探索空間内でシステム情報を送信するステップと、第２のヌメロロジーを用いて第２の探索空間内でさらなる情報を送信するステップとを行うための通信マネージャを備える。
【００２６】
第７の態様によれば、ネットワークにおいて複数のヌメロロジーを有効化するためのコンピュータプログラムが提示される。コンピュータプログラムは、コンピュータプログラムコードを備え、コンピュータプログラムコードは、ユーザ機器（ＵＥ）上で作動されると、ＵＥに、第１のヌメロロジーを用いてブロードキャストチャネル上の第１の探索空間内でシステム情報を受信するステップと、受信したシステム情報から第２の探索空間を決定するステップと、第２のヌメロロジーを用いて第２の探索空間内でさらなる情報を受信するステップとを行わせる。
【００２７】
第８の態様によれば、ネットワークにおいて複数のヌメロロジーを有効化するためのコンピュータプログラムが提示される。コンピュータプログラムは、コンピュータプログラムコードを備え、コンピュータプログラムコードは、ＢＳ上で作動されると、ＢＳに、第１のヌメロロジーを用いてブロードキャストチャネル上の第１の探索空間内でシステム情報を送信するステップと、第２のヌメロロジーを用いて第２の探索空間内でさらなる情報を送信するステップとを行わせる。
【００２８】
第９の態様によれば、コンピュータプログラムと、コンピュータプログラムが記憶されているコンピュータ可読記憶手段とを備えるコンピュータプログラム製品が提示される。
【００２９】
一般的に、特許請求の範囲内で使用されているすべての用語は、本明細書において明示的に別途定義されない限り、当該技術分野における通常の意味に従って解釈されるべきである。「１つの／その（ａ／ａｎ／ｔｈｅ）要素、装置、構成要素、手段、ステップなど」に対するすべての参照は、明示的に別途記述されない限り、要素、装置、構成要素、手段、ステップなどの少なくとも１つのインスタンスを参照するものとしてオープンに解釈されるべきである。本明細書において開示されている任意の方法のステップは、明示的に別途記述されない限り、開示されている正確な順序で実施される必要はない。
【００３０】
ここで例として、添付の図面を参照して本発明を説明する。
【図面の簡単な説明】
【００３１】
【図１】本明細書において提示されている実施形態を適用することができる環境を図解する概略図である。
【図２】異なるサブキャリア間隔を有するサブバンド領域の周波数多重化を図解する概略図である。
【図３】本明細書において提示されている実施形態による探索空間を図解する概略図である。
【図４】本明細書において提示されている実施形態による探索空間を図解する概略図である。
【図５】本明細書において提示されている実施形態による探索空間を図解する概略図である。
【図６Ａ】本明細書において提示されている実施形態の方法を図解する流れ図である。
【図６Ｂ】本明細書において提示されている実施形態の方法を図解する流れ図である。
【図７】本明細書において提示されているデバイスのいくつかの構成要素を図解する概略図である。
【図８】本明細書において提示されているデバイスのいくつかの構成要素を図解する概略図である。
【図９】本明細書において提示されているデバイスの機能モジュールを示す概略図である。
【図１０】本明細書において提示されているデバイスの機能モジュールを示す概略図である。
【発明を実施するための形態】
【００３２】
本発明は、多くの異なる形態において具現化されてもよく、本明細書に記載の実施形態に限定されるものと解釈されるべきではなく、むしろ、これらの実施形態は、本開示が徹底的かつ完全になり、当業者に本発明の範囲を完全に伝達するように例として提供されていることが留意される。本明細書全体を通じて同様の参照符号は同様の要素を指す。
【００３３】
本明細書において、ユーザ機器（ＵＥ）、端末、ハンドセットなどの用語は、ネットワークインフラストラクチャと通信するデバイスを表すために交換可能に使用される。この用語は、任意の特定のタイプのデバイスを意味するものとして解釈されるべきではなく、すなわち、それらすべてに適用され、本明細書において記載されている実施形態は、記載されているような問題を解決するための検討されているソリューションを使用するすべてのデバイスに適用可能である。同様に、基地局（ＢＳ）は、ＵＥと通信するネットワークインフラストラクチャ内のノードを表すように意図されている。ＮＢ、ｅＮＢ、ｇＮＢなどの異なる名称が適用可能であり得、ＢＳの機能はまた、様々な方法で分散されてもよい。例えば、無線プロトコルの無線ヘッド終端部分、および、無線プロトコルの他の部分を終端させる集中型ユニットがあり得る。ＢＳという用語は、検討されている本発明を実装することができるすべての代替的なアーキテクチャを参照し、そのような実施態様の間で区別は行われない。
【００３４】
図２は、異なるヌメロロジーを有する３つのサブバンド領域の周波数多重化の概略図を提供する。図解において、異なるサブキャリア間隔を使用する３つの異なるキャリア周波数部分などの３つの異なるヌメロロジーが提供されている。
【００３５】
多くの他のパラメータが、少なくも部分的に、サブキャリア間隔に依存する可能性が高いことが留意されるべきである。例えば、ＯＦＤＭ内のシンボル長は、サブキャリア間隔の関数である。シンボル数またはミリ秒単位で定義されるスロット長は、例えば、選択されるヌメロロジーに依存する。これらのパラメータの多くに共通することとして、受信機は、受信機に信号を送信するときに、送信機によっていずれのパラメータが使用されるかを知る必要があるか、または、少なくとも、それを事前に知ることから大いに利益を得る。例えば、ＵＥは、送信ＢＳによって使用されるサブキャリア間隔を知ることから利益を得、それによって、ＵＥは、信号を復号しようと試行するときに、ＢＳによって使用される異なるサブキャリア間隔の仮説を低減することができる。これは、限定ではないが、上述したものを含む、多くのパラメータに適用される。いくつかのパラメータは、ブラインドデコーディングによって識別することができるが、未知のパラメータが多すぎる場合、識別作業はＵＥに重い処理負担を課すことになる。
【００３６】
「ヌメロロジー」という用語は、本明細書において、これらのパラメータまたはパラメータの少なくとも一部を表す。より精密には、列挙されているパラメータのうちの１つが設定可能でないシステムにおいて、ヌメロロジーは、設定不可能なパラメータを含まないものとして理解することができる。時として、「ヌメロロジー」という表現は、設定可能パラメータに割り当てられるべき値のセットを表す場合がある。
【００３７】
ＲＡＮ１における現在の合意は、２ｍ×１５ｋＨｚに従ってスケーリングするサブキャリア間隔を含み、ｍは整数であるか、または、好ましくはｍ≧０である。物理リソースブロックが１２サブキャリアから成ることも合意されている。サブフレーム持続時間も１ｍｓに固定されている。スロットは７または１４のシンボルから成り、７シンボルは、６０ｋＨｚ以下のサブキャリア間隔のためのものであり、１４シンボルは６０ｋＨｚよりも大きいサブキャリア間隔のためのものである。
【００３８】
すでに述べたように、３ＧＰＰ  ＴＳＧ  ＲＡＮ  ＷＧ１は、５Ｇ  ＮＲがキャリア内で複数のヌメロロジーをサポートするべきであると合意している。キャリア内に複数の異なるヌメロロジーを有することは、例えば、ＵＥの１つのサブセットの低レイテンシの要件を同時に満たし、同時に、ＵＥの別のセットの良好なカバレッジをサポートするために魅力的であり得る。より一般的に言えば、このとき、異なるヌメロロジーを使用するキャリア上の複数の異なるサブバンドを、異なるＵＥへのおよび異なるＵＥからの送信に使用することができ、ここで、異なるＵＥはサービス品質に対して異なる需要を有する。
【００３９】
しかしながら、キャリア上で複数のヌメロロジーをサポートすることにおけるこの柔軟性によって、問題も生じる。特に、ＵＥなどの受信機は、送信機からの信号を復号しようと試行するときに、いずれのヌメロロジーが仮定されることになるかを事前に知ることから多大な利益を得る。１つの課題は、ＵＥが最初にセルを発見し、セルに接続するときに、いずれのヌメロロジーがセル内のキャリア上で適用されているかを必ずしも知っているとは限らず、特に、異なるヌメロロジーを適用するサブバンド部分が存在するか否かを知らないことである。
【００４０】
ＵＥにとって、ＵＥが下りリンク信号構造、すなわち、ヌメロロジーに関してほとんどまたはまったく知らず、ＢＳからの信号を復号することができるまでに、ブラインドデコーディングを通じて多数の異なる仮定を試行する必要があるソリューションを実装することは困難であるか、または、要求が多い場合がある。この問題は、ＵＥがＢＳとの接続を確立すべきであるとき、すなわち、ＵＥがＢＳから、ＢＳが信号をＵＥにどのように送信するように意図しているかに関する多くの特定の情報をまだ受信していないときに、特に深刻である。
【００４１】
セルまたはキャリアパラメータに関してＵＥに通知する問題に対する一般的な既知のソリューションは、ＢＳからＢＳのカバレッジエリア内のＵＥに、システム情報内でそのような情報をブロードキャストすることである。その方法によって、セル帯域幅、フレーム構造、サイクリックプレフィックスなどのような基本パラメータを、ＢＳに近接するすべてのＵＥに対して定期的に利用可能にすることができる。しかしながら、この手法には、以下を含む、いくつかの重大な欠点がある。
【００４２】
１．検討されているシステム情報の受信に成功するには、システム情報が送信されるヌメロロジーに関するいくらかの基本情報をＵＥがすでに知っている必要がある。例えば、ＬＴＥにおいて、ＵＥは、１５ｋＨｚの指定されている一定のサブキャリア間隔にアウェアであり、これに関連して仮説を立てる必要がない。ＬＴＥにおいて、同期情報に基づいて、ＵＥはまた、マスタ情報ブロック（ＭＩＢ）およびその後のシステム情報ブロックタイプ１（ＳＩＢ１）などの特定の基本システム情報のタイミングおよび位置をも知ることになり、それによって、その後、例えば、セル内のフレーム構造に関するより多くの情報を得ることができる。
【００４３】
２．システム情報がブロードキャストされるキャリアは、相当の負荷を受けることになる。ブロードキャストされるシステム情報は、比較的頻繁に繰り返される必要があり、多くの設定可能ヌメロロジーパラメータを有することによって相当の柔軟性を提供することが意図されている場合、この手法は、相当のオーバヘッドをもたらす可能性が高い。
【００４４】
３．高周波数において、大きい領域にわたるブロードキャスト方法によるシグナリングの実現は、伝播条件が、ＵＥによって、それらの位置にかかわりなくブロードキャスト情報が受信され得ることを保証するために、ビーム形成または非常に慎重なコーディングおよび変調を必要とし得るため、不可能ではないにせよ、非常に困難である可能性がある。
【００４５】
したがって、キャリアの異なるサブバンド部分においていずれのヌメロロジーがサポートされているかをＵＥが迅速かつ明確に学習することができるように、ブロードキャストチャネルに過剰な負荷を課すことなく、複数のヌメロロジーシナリオ、基本パラメータの配布をサポートまたは有効化することができるソリューションを提供することが必要とされている。物理層パラメータによって表現される新規のヌメロロジー、ならびに、例えば、新規のチャネルおよびフレーム構造設計がキャリアのサブバンド部分において使用することができるようにされ得るように、上位互換性のためのソリューションも必要とされている。そのような手法によって、キャリアの下位互換性の下位部分を最小限まで低減することができ、新規のサブバンドソリューションが効率的に使用することができるようにされ得る。
【００４６】
上記で概説したような、前述した問題に対処する技術が提示される。
【００４７】
ＵＥが、低処理要件を含む、最小のオーバヘッドで、キャリア上のサブバンドヌメロロジーに関する情報を取得することを可能にするように意図されている実施形態が提示される。
【００４８】
特定のヌメロロジーを有するサブバンドに関する情報をＵＥにシグナリングする、ＢＳに関する実施形態も提示され、このソリューションは、大幅な柔軟性、低オーバヘッド、および、例えば、ネットワークの後の改正において新規の伝送ソリューションが導入されるときに必要とされる将来の互換性を提供する。
【００４９】
同期信号を、既知のヌメロロジーを有する１つまたは複数のチャネルを介して受信することができる。代替的に、同期信号の復号に関する負担が管理可能であるように、利用可能なヌメロロジーのセットが制限されるか、または好ましくは大幅に制限される。このとき、ＵＥは、固定されているか、または、他の様態で同期から推定される検出および情報に基づいているヌメロロジーを有し得る物理ブロードキャストチャネル（ＰＢＣＨ）を復号することができる。ＰＢＣＨに関する情報は、共通のおよび／または追加の探索空間に関する情報を搬送することができ、情報は、これらの探索空間に適用されるヌメロロジーに関する情報を含むことができる。共通の探索空間上でスケジューリングされたシステム情報などのデータは、ＵＥ特有の探索空間に対する参照、およびそれぞれのヌメロロジーをさらに包含することができる。第１の探索空間はさらに、別のヌメロロジーを有する第２の追加の探索空間の指示を搬送するスケジューリング情報を、ＵＥに提供することができる。スケジューリング情報は、特に、第２の追加の探索空間のヌメロロジーを指示することができる。
【００５０】
提案されているソリューションは、キャリアの異なるサブバンド部分においていずれのヌメロロジーがサポートされているかをＵＥが迅速かつ明確に学習することができるように、ブロードキャストチャネルに過剰な負荷を課すことなく、基礎パラメータの複数のヌメロロジーをサポートすることができる。ソリューションはまた、上位互換性でもあり、それによって、例えば、物理層パラメータによって表現される新規のヌメロロジー、ならびに、例えば、新規のチャネルおよびフレーム構造設計を、たとえそれらが１つまたは複数の第１のバージョンの開発において存在せず、新規のチャネルおよびフレーム構造が将来において開発される場合であっても、キャリアのサブバンド部分において使用することができる。そのような手法によって、新規のチャネルおよびフレーム構造が開発されると、キャリアの旧来の下位互換性の下位部分を最小限まで低減することができ、新規のチャネルおよびフレーム構造をサポートしない残りのＵＥにのみサービングして、新規のサブバンドソリューションを効率的に使用することができる。
【００５１】
ブロードキャストチャネルの一例は、システム情報を搬送するＰＢＣＨである。多くの場合、ＰＢＣＨは、ブロードキャストトランスポートチャネル（ＢＣＨ）上でブロードキャストメッセージを搬送するようにモデル化されており、すなわち、ＢＣＨ上のトラフィックがＰＢＣＨにマッピングされる。
【００５２】
最初に、ＵＥが、ブロードキャストチャネルを受信する方法および場所に関する情報を取得する。ブロードキャストチャネルを受信する方法（ヌメロロジー）および場所（物理リソース）に関する情報は、例えば、同期情報の受信に基づくことができる。
【００５３】
同期情報を受信することによって、キャリアセル構造およびタイミングのいくらかの非常に基本的な情報が提供され、１つの代替形態において、ＵＥが最初に取得する１つまたは複数の同期チャネル内で、ＰＢＣＨ伝送のヌメロロジーが提供される。例えば、ＵＥは、同期チャネルヌメロロジーのいくつかの仮説をテストする必要があり得、同期チャネルの受信に基づいて、ＵＥは、ブロードキャストチャネルの受信に当てはまり得るヌメロロジーまたはヌメロロジーのセットを推定することができる。しかしながら、かつ代替的に、ブロードキャストチャネルを受信する場所および方法を規定する一部またはすべてのパラメータ、すなわち、ヌメロロジーは、例えば、標準仕様などにおいて合意されるいくつかのパラメータに基づいて、ＵＥにハードコードされ得、これらのパラメータは、ＵＥの通常動作中は設定可能または変更可能である必要はない。
【００５４】
例えば、ＵＥが、例えば、１５ｋＨｚのサブキャリア間隔、ならびに／または、特定のスロットフォーマットおよび／もしくはサイクリックプレフィックス、ならびに／または、ＰＢＣＨ上で搬送されている情報を読み取るときのＰＢＣＨの特定の位置を使用することになることが規定され得る。代替形態において、サブキャリア間隔およびサブキャリア間隔に依存する他のパラメータは、ＵＥへと定義およびプログラムされ、それによって、パラメータはキャリア周波数に依存する。例えば、周波数ｆ１未満で実装されるキャリアがＰＢＣＨのｓｃ１のサブキャリア間隔を有し、周波数ｆ１とｆ２との間で実装されるキャリアがＰＢＣＨのｓｃ２のサブキャリア間隔を有する、などと定義または事前合意することができる。
【００５５】
同じまたは類似の手法がまた、ＰＢＣＨのタイミング、すなわち、その周期性、周波数および時間領域配置におけるＰＢＣＨの位置、ＰＢＣＨを搬送するリソースブロック、ならびに、ＰＢＣＨの変調およびコード化のうちの１つまたは複数にも適用され得る。
【００５６】
ＰＢＣＨにおいて、ここで、ＵＥは、システムのいくらかの非常に基礎的な情報、すなわち、システム情報を受信することができる。しかしながら、ＰＢＣＨがすべてのサブバンドのヌメロロジー情報をも搬送する場合に発生し得る、ＰＢＣＨに対する過剰な負荷を回避するために、本発明は、以下の手法を使用する。ＰＢＣＨを搬送するサブバンドは以降、制御サブバンドとも呼ばれる。
【００５７】
ここで、ＰＢＣＨに関する情報は、制御チャネルおよびデータなどの追加の情報を受信するための探索空間および／またはキャリア領域に対する参照を含み得る。本明細書において使用される場合、探索空間という用語はまた、キャリア領域をも含む。ＢＣＨ情報は、例えば、共通の探索空間および／または１つもしくは複数の追加の探索空間に対する参照を含み得る。追加の探索空間は、共通であってもよく、または、ＵＥ特有であってもよい。ＢＣＨ情報は、参照される１つまたは複数の探索空間において使用されることになるヌメロロジーに関する情報をさらに含み得る。ヌメロロジーに関する情報は、例えば、種々のヌメロロジーのテーブルに対する参照を提供することができ、テーブルは、１つまたは複数の探索空間に関する情報を復号するときに、ＵＥがいずれのヌメロロジーを適用するべきかを識別する。代替的に、ＢＣＨデータは、１つまたは複数の探索空間がＢＣＨと同じヌメロロジーを適用するか、または、ヌメロロジーが異なるかに関する情報を含んでもよい。他の情報も提供されてもよく、または、フォーマットが、例えば、特定のヌメロロジーを識別するために、式２ｍ×１５ｋＨｚにおける整数値ｍであってもよい。追加の探索空間に関する情報はまた、時間−周波数リソースグリッドにおける探索空間の位置に関する情報をも含み得る。
【００５８】
共通の探索空間はまた、ＢＣＨ上でのシグナリングをさらに低減するために、ＢＣＨと同じヌメロロジーを有するように定義することもできる。共通の探索空間において、ＵＥは、１つもしくは複数の追加の探索空間に関する追加の情報または他の情報を受信するようにスケジューリングすることができる。
【００５９】
そのような実施形態において、共通の探索空間においてスケジューリングされた情報において提供される情報は、１つまたは複数の追加の探索空間に対する参照を含むことができ、この事例において、追加の探索空間は、異なるヌメロロジーを使用し得る。そのような情報は、フレームまたはサブフレームのデータ領域上でスケジューリングおよび受信され得、データは、共通の探索空間上で無線ネットワーク一時識別子（ＲＮＴＩ）によってスケジューリングされる。
【００６０】
探索空間は、ＵＥが、ＵＥに関連するものである下りリンク制御チャネル（ＰＤＣＣＨ）を発見すると予測することができる位置（ＬＴＥにおいては制御チャネルエレメントと呼ばれる）を参照することができる。共通の探索空間は、キャリア上の多くの、または、さらにはすべてのＵＥが、少なくとも断続的に監視する必要がある探索空間である。そのような共通の探索空間は、例えば、ページング情報（ＬＴＥにおいてはページングＲＮＴＩを使用する）のスケジューリング、またはさらなるシステム情報（ＬＴＥにおいてはシステム情報ＲＮＴＩによってスケジューリングされる）、または、例えば、ランダムアクセス応答を搬送することができる。この共通の探索空間において、ＵＥは、追加の探索空間に関する情報を受信するようにスケジューリングすることができる。追加の探索空間に関する情報は、追加の探索空間のヌメロロジーに関する情報を含み得る。１つの実施形態において、この情報は、フレーム、サブフレームまたはスロットのデータ領域にマッピングされているシステム情報内で搬送される。
【００６１】
一実施形態の概略図が図３において提供される。図３において、種々の図解されている領域の時間関係およびサイズは概略に過ぎない。この実施形態によれば、ＢＣＨはＢＳから送信され、ＵＥによって、第１のヌメロロジー（ｎｕｍｅｒｏｌｏｇｙ１）を使用して受信される。図解されているように、ＢＣＨ情報は、共通の探索空間に対する参照を含むことができる。ＢＣＨ情報は、共通の探索空間のヌメロロジーに関する上述したような情報をさらに含むことができる。図３において、共通の探索空間のヌメロロジーは、ＢＣＨのヌメロロジー、すなわち、サブキャリア領域１上のｎｕｍｅｒｏｌｏｇｙ１と同じである。次に、ＵＥは、共通の探索空間内で、または、それと関連付けられて、追加の探索空間に関する情報を受信する。図解において、追加の探索空間はここで、サブキャリア領域２上の第２のヌメロロジー（ｎｕｍｅｒｏｌｏｇｙ２）を使用して実装される。図３はまた、このＵＥに割り当てられていない第３の探索空間をも含む。図解の目的で、この第３の探索空間は、サブキャリア領域３上の第３のヌメロロジー（ｎｕｍｅｒｏｌｏｇｙ３）を実装することができる。
【００６２】
図３に図解されている実施形態において、追加の第２の探索空間に対する参照は、共通の探索空間内で提供される。しかしながら、追加の第２の探索空間に対する参照はまた、図４に図解されているように、ＢＣＨ上で搬送されている情報内で直接的に提供されてもよい。
【００６３】
図４において、共通の探索空間はまた、サブキャリア領域１上のＢＣＨのヌメロロジー、すなわちｎｕｍｅｒｏｌｏｇｙ１とは異なる、サブキャリア領域２上のヌメロロジー、すなわちｎｕｍｅｒｏｌｏｇｙ２を実装してもよいことが例示されている。すべての図解されている領域（探索空間およびＢＣＨ）は周期的に発生し得、または、さらにはすべてのサブフレームもしくはスロット（図解されていない）内で発生し得ることがさらに留意されるべきである。この周期性は、関連する探索空間については異なり得る。
【００６４】
共通の探索空間から１つまたは複数の追加の探索空間のヌメロロジーに関する情報を提供する利点は、下記に説明するように、情報を、ＰＤＣＣＨ上の下りリンク制御情報（ＤＣＩ）のように、割り当てによってスケジューリングされて、共有チャネル上で提供することができることである。ＵＥは、共通の探索空間上の（データ）スケジューリング割り当てを求めて探索する。この目的のために意図されているＲＮＴＩに関係するスケジューリング割り当てを識別すると、ＵＥは、下りリンクリソース、すなわち、スケジューリングコマンドおよび下りリンクデータの対応するスケジューリングの配分を発見する。例えば、このデータは、フレーム、サブフレームまたはスロットのデータ領域上で搬送されている、例えば、システム情報として識別される制御情報であり得る。下りリンクデータ領域が、上記で説明したような追加の探索空間およびそのヌメロロジーに関する情報または他の情報を搬送することができる。これは図５に図解されている。
【００６５】
１つのソリューションにおいて、スケジューリング割り当ては、システム情報ＲＮＴＩ（ＳＩ−ＲＮＴＩ）などの、複数のＵＥに共通であるＲＮＴＩを使用して、複数のＵＥに方向付けられる。別のソリューションにおいて、ＵＥは、このＵＥに特異的に方向付けられている割り当てを使用して、すなわち、例えばＵＥ  Ｃｅｌｌ−ＲＮＴＩ（Ｃ−ＲＮＴＩ）を使用して、追加の探索空間に方向付けられ、Ｃ−ＲＮＴＩはこのＵＥに配分されている。この後者のソリューションにおいて、ＵＥは最初に、ネットワークに対する接続を確立する必要があり得、それによって、ＵＥは、無線リソース制御（ＲＲＣ）シグナリングなどの、専用シグナリングを介して、１つまたは複数の追加の探索空間に関するそのようなＵＥ特有の制御情報を受信することができる。後者の手法は、ＵＥが、特に必要とされるときにのみ、前述の制御情報を受信するように割り当てられるため、キャリア上の反復的な制御情報に対する需要を低減することができる。
【００６６】
本明細書において記載されている実施形態を実装することができるネットワーク４が、図１に提示されている。ＵＥ１が、ＢＳ２にワイヤレス接続可能である。ＢＳ２は、コアネットワーク（ＣＮ）３に接続されている。
【００６７】
一実施形態による、ネットワークにおいて複数のヌメロロジーを有効化するための方法が、図６Ａを参照して提示される。本方法は、ＵＥによって実施され、第１のヌメロロジーを用いてブロードキャストチャネル上の第１の探索空間内でシステム情報を受信するステップＳ１１０と、受信したシステム情報から第２の探索空間を決定するステップＳ１２０と、第２のヌメロロジーを用いて第２の探索空間内でさらなる情報を受信するステップＳ１３０とを含む。
【００６８】
第１のヌメロロジーは第２のヌメロロジーとは異なり得る。
【００６９】
ブロードキャストチャネルは、物理ブロードキャストチャネル（ＰＢＣＨ）であってもよい。
【００７０】
受信するステップは、システム情報を検出するステップをさらに含むことができる。
【００７１】
方法は、受信するステップＳ１１０の前に、ブロードキャストチャネルの同期情報を受信するステップＳ１００をさらに含むことができる。
【００７２】
第２のヌメロロジーは、受信したシステム情報内で指示され得る。
【００７３】
第２の探索空間は、ＵＥ特有であってもよい。
【００７４】
第２の探索空間は、共通の探索空間であってもよい。
【００７５】
決定するステップＳ１２０は、第３のヌメロロジーを有する第３の探索空間を決定するステップをさらに含むことができる。
【００７６】
ネットワークにおいて複数のヌメロロジーを有効化するための方法が、図６Ｂを参照して提示される。本方法は、ＢＳによって実施され、第１のヌメロロジーを用いてブロードキャストチャネル上の第１の探索空間内でシステム情報を送信するステップＳ２１０と、第２のヌメロロジーを用いて第２の探索空間内でさらなる情報を送信するステップＳ２２０とを含む。
【００７７】
方法は、ブロードキャストチャネルの同期情報を送信するステップＳ２００をさらに含むことができる。
【００７８】
ネットワークにおいて複数のヌメロロジーを有効化するためのＵＥが、図７を参照して提示される。ＵＥ１は、プロセッサ１０と、コンピュータプログラム製品１２、１３とを備える。コンピュータプログラム製品は、命令を記憶しており、命令は、プロセッサによって実行されると、ＵＥに、第１のヌメロロジーを用いてブロードキャストチャネル上の第１の探索空間内でシステム情報を受信するステップＳ１１０と、受信したシステム情報から第２の探索空間を決定するステップＳ１２０と、第２のヌメロロジーを用いて第２の探索空間内でさらなる情報を受信するステップＳ１３０とを行わせる。
【００７９】
ネットワークにおいて複数のヌメロロジーを有効化するためのＢＳが、図８を参照して提示される。ＢＳ２は、プロセッサ２０と、コンピュータプログラム製品２２、２３とを備える。コンピュータプログラム製品は、命令を記憶しており、命令は、プロセッサによって実行されると、ＢＳに、第１のヌメロロジーを用いてブロードキャストチャネル上の第１の探索空間内でシステム情報を送信するステップＳ２１０と、第２のヌメロロジーを用いて第２の探索空間内でさらなる情報を送信するステップＳ２２０とを行わせる。
【００８０】
ネットワークにおいて複数のヌメロロジーを有効化するためのＵＥが、図９を参照して提示される。ＵＥ１は、通信マネージャ９１と、決定マネージャ９０とを備える。通信マネージャは、第１のヌメロロジーを用いてブロードキャストチャネル上の第１の探索空間内でシステム情報を受信するステップＳ１１０と、第２のヌメロロジーを用いて第２の探索空間内でさらなる情報を受信するステップＳ１３０とを行うためのものである。決定マネージャは、受信したシステム情報から第２の探索空間を決定するステップＳ１２０を行うためのものである。
【００８１】
ネットワークにおいて複数のヌメロロジーを有効化するためのＢＳが、図１０を参照して提示される。ＢＳ２は、第１のヌメロロジーを用いてブロードキャストチャネル上の第１の探索空間内でシステム情報を送信するステップＳ２１０と、第２のヌメロロジーを用いて第２の探索空間内でさらなる情報を送信するステップＳ２２０とを行うための通信マネージャ１０１を備える。
【００８２】
ネットワークにおいて複数のヌメロロジーを有効化するためのコンピュータプログラム１４、１５が提示される。コンピュータプログラムは、コンピュータプログラムコードを備え、コンピュータプログラムコードは、ＵＥ上で作動されると、ＵＥ１に、第１のヌメロロジーを用いてブロードキャストチャネル上の第１の探索空間内でシステム情報を受信するステップＳ１１０と、受信したシステム情報から第２の探索空間を決定するステップ（Ｓ１２０）と、第２のヌメロロジーを用いて第２の探索空間内でさらなる情報を受信するステップＳ１３０とを行わせる。
【００８３】
ネットワークにおいて複数のヌメロロジーを有効化するためのコンピュータプログラム２４、２５が提示される。コンピュータプログラムは、コンピュータプログラムコードを備え、コンピュータプログラムコードは、ＢＳ上で作動されると、ＢＳ２に、第１のヌメロロジーを用いてブロードキャストチャネル上の第１の探索空間内でシステム情報を送信するステップＳ２１０と、第２のヌメロロジーを用いて第２の探索空間内でさらなる情報を送信するステップＳ２２０とを行わせる。
【００８４】
コンピュータプログラム１４、１５（図１７）、２４、２５（図８）およびコンピュータプログラム１４、１５、２４、２５が記憶されているコンピュータ可読記憶手段を備えるコンピュータプログラム製品１２、１３（図７）、２２、２３（図８）も提示される。
【００８５】
図７は、ＵＥ１のいくつかの構成要素を示す概略図である。プロセッサ１０は、メモリに記憶されているコンピュータプログラム１４のソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路などのうちの１つまたは複数の任意の組み合わせを使用して提供することができる。したがって、メモリは、コンピュータプログラム製品１２であるか、またはその一部を形成すると考えることができる。プロセッサ１０は、図６Ａを参照して本明細書において記載されている方法を実行するように設定することができる。
【００８６】
メモリは、読み書きメモリ（ＲＡＭ）および読み出し専用メモリ（ＲＯＭ）の任意の組み合わせであってもよい。メモリはまた、例えば、磁気メモリ、光学メモリ、ソリッドステートメモリまたはさらには遠隔設置メモリの任意の単一のものまたは組み合わせであってもよい、永続記憶装置をも含んでもよい。
【００８７】
例えば、プロセッサ１０内のソフトウェア命令の実行中の読み出しおよび／または記憶のために、データメモリの形態の第２のコンピュータプログラム製品１３を提供することもできる。データメモリは、読み書きメモリ（ＲＡＭ）および読み出し専用メモリ（ＲＯＭ）の任意の組み合わせであってもよく、また、例えば、磁気メモリ、光学メモリ、ソリッドステートメモリまたはさらには遠隔設置メモリの任意の単一のものまたは組み合わせであってもよい、永続記憶装置をも含んでもよい。データメモリは、例えば、ＵＥ１の機能を改善するための他のソフトウェア命令１５を保持してもよい。
【００８８】
ＵＥ１は、例えば、ユーザインターフェースを含む入出力（Ｉ／Ｏ）インターフェース１１をさらに備えることができる。ＵＥ１は、他のノードからのシグナリングを受信するように設定されている受信手段と、他のノード（図解されていない）にシグナリングを送信するように設定されている送信手段とをさらに備えることができる。ＵＥ１の他の構成要素は、本明細書において提示されている概念を曖昧にしないように、省略されている。
【００８９】
図９は、ＵＥ１の機能ブロックを示す概略図である。モジュールは、キャッシュサーバ内で実行するコンピュータプログラムなどのソフトウェア命令としてのみ、または、特定用途向け集積回路、フィールドプログラマブルゲートアレイ、個別論理素子、送受信機などのようなハードウェアとしてのみ、または、それらの組み合わせとして実装されてもよい。代替的な実施形態において、機能ブロックのいくつかは、ソフトウェアによって実装されてもよく、他の機能ブロックはハードウェアによって実装されてもよい。モジュールは、決定マネージャユニット９０および通信マネージャユニット９１を含め、図６Ａに図解されている方法のステップに対応する。モジュールの１つまたは複数がコンピュータプログラムによって実装される実施形態において、これらのモジュールは必ずしもプロセスモジュールに対応するとは限らず、いくつかのプログラミング言語は一般的にプロセスモジュールを包含しないため、それらが実装されるプログラミング言語に従って命令として書くことができることが理解されるべきである。
【００９０】
決定マネージャ９０は、ネットワークにおいて複数のヌメロロジーを有効化するためのものである。このモジュールは、図６Ａの決定するステップＳ１２０に対応する。このモジュールは、例えば、コンピュータプログラムを作動させるときに、図７のプロセッサ１０によって実装することができる。
【００９１】
通信マネージャ９１は、ネットワークにおいて複数のヌメロロジーを有効化するためのものである。このモジュールは、図６Ａの受信するステップＳ１００、受信するステップＳ１１０および受信するステップＳ１３０に対応する。このモジュールは、例えば、コンピュータプログラムを作動させるときに、図７のプロセッサ１０によって実装することができる。
【００９２】
図８は、基地局２のいくつかの構成要素を示す概略図である。プロセッサ２０は、メモリに記憶されているコンピュータプログラム２４のソフトウェア命令を実行することが可能な、適切な中央処理装置（ＣＰＵ）、マルチプロセッサ、マイクロコントローラ、デジタル信号プロセッサ（ＤＳＰ）、特定用途向け集積回路などのうちの１つまたは複数の任意の組み合わせを使用して提供することができる。したがって、メモリは、コンピュータプログラム製品２２であるか、またはその一部を形成すると考えることができる。プロセッサ２０は、図６Bを参照して本明細書において記載されている方法を実行するように設定することができる。
【００９３】
メモリは、読み書きメモリ（ＲＡＭ）および読み出し専用メモリ（ＲＯＭ）の任意の組み合わせであってもよい。メモリはまた、例えば、磁気メモリ、光学メモリ、ソリッドステートメモリまたはさらには遠隔設置メモリの任意の単一のものまたは組み合わせであってもよい、永続記憶装置をも含んでもよい。
【００９４】
例えば、プロセッサ２０内のソフトウェア命令の実行中の読み出しおよび／または記憶のために、データメモリの形態の第２のコンピュータプログラム製品２３を提供することもできる。データメモリは、読み書きメモリ（ＲＡＭ）および読み出し専用メモリ（ＲＯＭ）の任意の組み合わせであってもよく、また、例えば、磁気メモリ、光学メモリ、ソリッドステートメモリまたはさらには遠隔設置メモリの任意の単一のものまたは組み合わせであってもよい、永続記憶装置をも含んでもよい。データメモリは、例えば、ＢＳ２の機能を改善するための他のソフトウェア命令２５を保持してもよい。
【００９５】
ＢＳ２は、例えば、ユーザインターフェースを含む入出力（Ｉ／Ｏ）インターフェース２１をさらに備えることができる。ＢＳ２は、他のノードからのシグナリングを受信するように設定されている受信手段と、他のノード（図解されていない）にシグナリングを送信するように設定されている送信手段とをさらに備えることができる。ＢＳ２の他の構成要素は、本明細書において提示されている概念を曖昧にしないように、省略されている。
【００９６】
図１０は、ＢＳ２の機能ブロックを示す概略図である。モジュールは、キャッシュサーバ内で実行するコンピュータプログラムなどのソフトウェア命令としてのみ、または、特定用途向け集積回路、フィールドプログラマブルゲートアレイ、個別論理素子、送受信機などのようなハードウェアとしてのみ、または、それらの組み合わせとして実装されてもよい。代替的な実施形態において、機能ブロックのいくつかは、ソフトウェアによって実装されてもよく、他の機能ブロックはハードウェアによって実装されてもよい。モジュールは、通信マネージャユニット１０１を含め、図６Ｂに図解されている方法のステップに対応する。モジュールの１つまたは複数がコンピュータプログラムによって実装される実施形態において、これらのモジュールは必ずしもプロセスモジュールに対応するとは限らず、いくつかのプログラミング言語は一般的にプロセスモジュールを包含しないため、それらが実装されるプログラミング言語に従って命令として書くことができることが理解されるべきである。
【００９７】
通信マネージャ１０１は、ネットワークにおいて複数のヌメロロジーを有効化するためのものである。このモジュールは、図６Ｂの送信するステップＳ２００、送信するステップＳ２１０および送信するステップＳ２２０に対応する。このモジュールは、例えば、コンピュータプログラムを作動させるときに、図８のプロセッサ２０によって実装することができる。
【００９８】
本発明は主に、いくつかの実施形態を参照して上記で記載されている。しかしながら、当業者には容易に諒解されるように、上記で開示されているものの他の実施形態が、添付の特許請求の範囲によって規定されるような、本発明の範囲内で等しく可能である。
【図１】
2019534642.tif 000003
【図２】
2019534642.tif 000004
【図３】
2019534642.tif 000005
【図４】
2019534642.tif 000006
【図５】
2019534642.tif 000007
【図６Ａ】
2019534642.tif 000008
【図６Ｂ】
2019534642.tif 000009
【図７】
2019534642.tif 000010
【図８】
2019534642.tif 000011
【図９】
2019534642.tif 000012
【図１０】
2019534642.tif 000013
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
ネットワークにおいて複数のヌメロロジーを有効化するための方法であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記方法は、ユーザ機器によって実施され、
第１のヌメロロジーを用いてブロードキャストチャネル上でシステム情報を受信するステップ（Ｓ１１０）と、
前記受信したシステム情報から第１の探索空間を決定するステップ（Ｓ１２０）であって、前記第１の探索空間は共通の探索空間である、決定するステップ（Ｓ１２０）と、
前記第１のヌメロロジーと異なる第２のヌメロロジーを用いて前記第１の探索空間内でスケジューリングされたさらなるシステム情報を受信するステップ（Ｓ１３０）であって、前記第２のヌメロロジーは、前記受信したシステム情報内で指示され、前記さらなるシステム情報は、１つまたは複数の追加の探索空間に対する参照を含む、受信するステップ（Ｓ１３０）と
を含む、方法。
【請求項２】
前記受信するステップ（Ｓ１１０）は、システム情報を検出するステップをさらに含む、請求項１に記載の方法。
【請求項３】
ブロードキャストチャネル上で受信するステップ（Ｓ１１０）の前に、前記ブロードキャストチャネルの同期情報を受信するステップ（Ｓ１００）を含む、請求項１または２に記載の方法。
【請求項４】
前記第１の探索空間内でスケジューリングされた前記さらなるシステム情報は、ページング情報のスケジューリング、ランダムアクセス応答、追加の探索空間のスケジューリングのうちの１つまたは複数である、請求項１から３のいずれか一項に記載の方法。
【請求項５】
前記決定するステップは、第３のヌメロロジーを有する第２の探索空間を決定するステップをさらに含む、請求項１から４のいずれか一項に記載の方法。
【請求項６】
ネットワークにおいて複数のヌメロロジーを有効化するための方法であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記方法は、基地局によって実施され、
第１のヌメロロジーを用いてブロードキャストチャネル上でシステム情報を送信するステップ（Ｓ２１０）と、
前記第１のヌメロロジーと異なる第２のヌメロロジーを用いて第１の探索空間内でスケジューリングされたさらなるシステム情報を送信するステップ（Ｓ２２０）であって、前記第１の探索空間は共通の探索空間であり、前記第２のヌメロロジーは、前記送信されたシステム情報内で指示され、前記さらなるシステム情報は、１つまたは複数の追加の探索空間に対する参照を含む、送信するステップ（Ｓ２２０）と
を含む、方法。
【請求項７】
前記第１の探索空間は、前記送信されたシステム情報内で指示される、請求項６に記載の方法。
【請求項８】
ネットワークにおいて複数のヌメロロジーを有効化するためのユーザ機器（ＵＥ）であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記ＵＥ（１）は、
プロセッサ（１０）と、
命令を記憶しているコンピュータプログラム製品（１２、１３）と
を備え、前記命令は、前記プロセッサによって実行されると、前記ＵＥに、
第１のヌメロロジーを用いてブロードキャストチャネル上でシステム情報を受信するステップ（Ｓ１１０）と、
前記受信したシステム情報から第１の探索空間を決定するステップ（Ｓ１２０）であって、前記第１の探索空間は共通の探索空間である、決定するステップ（Ｓ１２０）と、
前記第１のヌメロロジーと異なる第２のヌメロロジーを用いて前記第１の探索空間内でさらなるシステム情報を受信するステップ（Ｓ１３０）であって、前記第２のヌメロロジーは、前記受信したシステム情報内で指示され、前記さらなるシステム情報は、１つまたは複数の追加の探索空間に対する参照を含む、受信するステップ（Ｓ１３０）と
を行わせる、ユーザ機器（ＵＥ）。
【請求項９】
ネットワークにおいて複数のヌメロロジーを有効化するための基地局（ＢＳ）であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記ＢＳ（２）は、
プロセッサ（２０）と、
命令を記憶しているコンピュータプログラム製品（２２、２３）と
を備え、前記命令は、前記プロセッサによって実行されると、前記ＢＳに、
第１のヌメロロジーを用いてブロードキャストチャネル上でシステム情報を送信するステップ（Ｓ２１０）と、
前記第１のヌメロロジーと異なる第２のヌメロロジーを用いて第１の探索空間内でさらなるシステム情報を送信するステップ（Ｓ２２０）であって、前記第１の探索空間は共通の探索空間であり、前記第２のヌメロロジーは、前記送信されたシステム情報内で指示され、前記さらなるシステム情報は、１つまたは複数の追加の探索空間に対する参照を含む、送信するステップ（Ｓ２２０）と
を行わせる、基地局（ＢＳ）。
【請求項１０】
ネットワークにおいて複数のヌメロロジーを有効化するためのコンピュータプログラム（１４、１５）であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記コンピュータプログラムはコンピュータプログラムコードを備え、前記コンピュータプログラムコードは、ユーザ機器（ＵＥ）上で作動されると、前記ＵＥに請求項１から５のいずれか一項に記載の方法を行わせる、コンピュータプログラム（１４、１５）。
【請求項１１】
ネットワークにおいて複数のヌメロロジーを有効化するためのコンピュータプログラム（２４、２５）であって、
ヌメロロジーは、サブキャリア間隔、ＯＦＤＭシンボル長、サイクリックプレフィックス長、サブフレームまたはスロットあたりのシンボルの数、サブフレーム長、およびフレーム長などの直交周波数分割多元接続（ＯＦＤＭ）無線インターフェースの諸態様を記述する数値パラメータのセットを指し、
前記コンピュータプログラムはコンピュータプログラムコードを備え、前記コンピュータプログラムコードは、基地局（ＢＳ）上で作動されると、前記ＢＳに請求項６又は７に記載の方法を行わせる、コンピュータプログラム（２４、２５）。
【国際調査報告】
2019534642.tif 000014
2019534642.tif 000015
2019534642.tif 000016
2019534642.tif 000017